(57)【要約】【課題】ケース本体２の頂部開口縁にヒンジ11を介して開閉可能に蓋体３を設け、蓋体３の所定回動状態に於いて取出口６が開口する如く構成した粒状物ケースであって、充填操作が容易であり、それに加えて蓋体開閉時のクリック感を得られるとともに、余分な蓋体の回動を防止して収納物が収納部からこぼれる等の不都合を防止した優れた粒状物ケースを提案する。【解決手段】ケース本体２内面と蓋体３側面とに、取出口６の開口状態で互いに係合する係合手段19を設け、また、ケース本体２内面に突設した突部20を蓋体３側面に設けた乗越突起21が乗越えた時点で上記係合手段が係合する如く構成した。また、ケース本体２の底部に底蓋で閉塞した充填口を設けて底部からの収納物の充填を行える如く構成した。【選択図】図７
2005053507.tif 000002
【特許請求の範囲】
【請求項１】
底部に底蓋４で閉塞した充填口５を設けるとともに、内部を粒状物の収納部Ａとしたケース本体２と、該ケース本体２の頂部開口縁にヒンジ11を介して連結するとともに、ケース本体２内上端部に嵌合させ、且つ、露出した指掛け部12の操作による開閉が可能に設けた蓋体３とを備え、蓋体３の所定回動状態に於いて上記収納部Ａ内と連通する取出口６が開口する如く構成した合成樹脂製の粒状物ケースであって、上記ケース本体２内面と蓋体３の側面とに、上記取出口６の開口状態で互いに係合する係合手段19を設けるとともに、上記ケース本体２の内面に突設した突部20を蓋体３側面に設けた乗越突起21が乗り越えた時点で上記係合手段19が係合する如く構成したことを特徴とする粒状物ケース。
【発明の詳細な説明】
【技術分野】
【０００１】
本発明は粒状物ケースに関する。
【背景技術】
【０００２】
粒状物ケースとして、取出口を設けた蓋体とケース本体とを相対に回転させる構造とするとともに、蓋体を閉じた状態から開放状態に回動させた際に取出口が開口し、ケース本体を傾けることにより収納粒状物が取出口に移行する如く構成した包装箱が提案されている（例えば、特許文献１参照）。
【０００３】
ここに示されている包装箱は、タブレット状の収納物を取り出し自在に収納するもので、ケース本体と蓋体とをフィルムヒンジによって互いに結合し、蓋体に設けた表面凹みに係止される縦方向リブをケース本体内部を縦断して設けている。また、ケース本体と蓋体とは一体に形成されており、収納物を充填する際には蓋を大きく開いた状態で上方より行うと思われる。
【０００４】
上記包装箱は、ケース本体を握った片手での蓋体の開閉操作を行うことができ、取り扱いが容易であり、しかも構造が簡単で安価に製造できるものである。
【０００５】
【特許文献１】特開平８−２９５３７５号公報（第２−６頁，図２）
【発明の開示】
【発明が解決しようとする課題】
【０００６】
本発明は上記した従来の容器の特徴を備えつつ、しかも更に改良を加えたものである。即ち、上記効果に加え、充填操作が容易であり、それに加えて蓋体開閉時のクリック感を得られるとともに、余分な蓋体の回動を防止して収納物が収納部からこぼれる等の不都合を防止した優れた粒状物ケースを提案するものである。
【課題を解決するための手段】
【０００７】
本請求項１発明の粒状物ケースは、上記課題を解決するため、底部に底蓋４で閉塞した充填口５を設けるとともに、内部を粒状物の収納部Ａとしたケース本体２と、該ケース本体２の頂部開口縁にヒンジ11を介して連結するとともに、ケース本体２内上端部に嵌合させ、且つ、露出した指掛け部12の操作による開閉が可能に設けた蓋体３とを備え、蓋体３の所定回動状態に於いて上記収納部Ａ内と連通する取出口６が開口する如く構成した合成樹脂製の粒状物ケースであって、上記ケース本体２内面と蓋体３の側面とに、上記取出口６の開口状態で互いに係合する係合手段19を設けるとともに、上記ケース本体２の内面に突設した突部20を蓋体３側面に設けた乗越突起21が乗り越えた時点で上記係合手段19が係合する如く構成したことを特徴とする粒状物ケースとして構成した。
【発明の効果】
【０００８】
以上説明した如く、本発明の粒状物容器は、既述構成としたことにより、簡単な操作で常時定数の粒状物を取り出すことができ、しかも構造が簡単で、製造も容易であり安価に得られる利点がある。また、底蓋を開けての充填口からの粒状物の充填を行えるため、また、上記係合手段，突部，乗越突起などは蓋体の側面及びそれに対向するケース本体内面とに設けて収納粒状物収納部内には邪魔な突出物を必要としないため、充填作業もきわめて容易に行えるものである。
【発明を実施するための最良の形態】
【０００９】
以下、本発明の実施例の形態を図面を参照して説明する。
【００１０】
本発明の粒状物ケース１は合成樹脂製であり、ケース本体２と、蓋体３とを備えている。
【００１１】
ケース本体２は底部を底蓋４で閉塞した充填口５を有する上下端を開口した筒状をなし、内部を粒状物収納部Ａとして形成している。図示例に於いてケース本体２は、上端前部コーナーを傾斜辺に、上端後部コーナーをアールに形成した一対の側壁部2a間前後を細幅の前壁部2b及び後壁部2cで連結した偏平矩形筒状をなしている。また、一方の側壁部2aの上部前部に上記収納部Ａ内と連通する粒状物取出用の取出口６を穿設している。この取出口６はケース本体２に設ける場合に限らず、図10及び図11に示す実施例の如く蓋体に設けることも可能である。
【００１２】
上記底蓋４は底壁７周縁部より周壁８を立設した有底筒状をなし、周壁８の上部を小径の嵌合部8aに形成し、該嵌合部8aをケース本体２内周下端部に混合させる如く構成している。また、嵌合部8a外面には係合突部９を突設し、ケース本体２の側壁部2a下方に穿設した係合孔10に強制的に嵌合させて抜け出しの防止を図っている。尚、底蓋はヒンジを介して一体に形成しても良い。
【００１３】
蓋体３はケース本体２と一体に形成したもので、ケース本体２の頂部開口縁にヒンジ11を介して一端を連結するとともに、ケース本体２内上端部に嵌合させ、且つ、露出した指掛け部12の操作による開閉が可能に設けている。図示例ではケース本体２の後壁部2c上端縁にヒンジ11を介して後縁を回動可能に連結するとともに、ケース本体２の両側壁部2a上端縁に沿って前方へ延設した湾曲板状の頂板13を備え、上記取出口側の縁部より側板14を、また、前縁より前板15をそれぞれ垂設し、側板14及び前板15下端縁より底板16を延設している。更に、前板15下端縁より下方へ帯状の弾性片17を垂設している。尚、ケース本体２と蓋体３とを一体成形する関係で他方の側板を設けていない。また、前面上端部に、ケース本体外部に露出する板状の指掛け部12を突設し、その両側を上記両側壁部2aの傾斜辺前面と当接係止させている。更に、底壁７前端部に、開蓋した際に取出口６への案内壁となる凹部24を形成している。そして、ケース本体２の頂部開口を開閉可能に閉塞している。
【００１４】
本発明では上記蓋体３の閉塞位置からの所定回動状態に於いて上記取出口６が開口する如く構成したものである。図示例では上記取出口６は蓋体３の側面により閉塞されており、更にいえば蓋体３側面より突設した係合突起18により閉塞されており、開蓋した際に係合突起18が外れて蓋体側板15が上方に回動して取出口６が開口する如く構成している。
【００１５】
係合突起18は、取出口６と略同じ大きさをなすドーム状突起であり、開蓋状態では取出口６に嵌合して閉塞状態を維持し、また、指掛け部12を押し上げて開蓋する際には比較的容易に取出口から外れ、更に、開蓋時にその縁部がケース本体側壁部2a上面に係合して取出口の開口状態をより確実に維持する如く構成している。尚、係合突起18の形状は、取出口６の嵌合状態から離脱可能な形状であれば、取出口の形状に応じて種々採用できるが、上記ドーム状突起の如く周縁部がテーパ状に形成してあるものが比較的容易に取出口との嵌合を解除できる点で好ましい。
【００１６】
また、本発明ではケース本体２の内面と蓋体３の側面とに、上記取出口６の開口状態で互いに係合する係合手段19を設けるとともに、ケース本体２の内面に突設した突部20を蓋体３側面に設けた乗越突起21が乗り越えた時点で上記係合手段が係合する如く構成している。
【００１７】
図示例では、ケース本体２の側壁部2a上端縁所定位置に設けた係止突条22と、蓋体３の側板14外面所定位置に設けた係合突条23とで上記係合手段19を構成している。即ち、閉蓋状態では、図８(a) に示す如く、係合突条23が係止突条22の所定の下方に位置し、開蓋すると図８(b) に示す如く、ヒンジ11を中心に係合突条23が回動して係止突条22下面に当接し、それ以上の開蓋ができないように構成している。この際、取出口６が開放される。また、弾性片17の先端部がケース本体２の前壁部2b内面を摺動してその上部に係止され、蓋体の前板15が前壁部2bより外れた状態にあるにも拘わらず粒状物収納部Ａ内と外部とを遮断する。
【００１８】
また、係止突条22と反対側のケース本体側壁部2aの上端縁所定位置に上記突部20を突設しており、蓋体３の側板14の内側面所定位置に乗越突起21としての縦リブを突設している。この縦リブは閉蓋状態では突部20の前方に位置し、開蓋するとヒンジ11を中心に回動して上記突部20を強制的に乗り越えてその後方へ位置する。乗り越えの際にはクリック感を得られる。そして、乗り越え直後に上記係合手段19の係合が行われるため、蓋体３はその状態で維持される。
【００１９】
本実施例の粒状物ケース１に粒状物を充填する際には、例えば、底蓋４を外した状態で行うことができる。また、使用の際には、例えば、蓋体３を回動して取出口６を開口し、ケース本体２を傾けて取出口６に粒状物を移行し、その後ケースを回動させて逆さまにすれば粒状物を取り出すことができる。また、収納する粒状物としては、粒状のものであれば特に限定されず、薬剤等の錠剤や、キャンデー等の菓子が代表的なものとして挙げられる。また、その形状も球状に限らす種々の形状ものを収納することができる。
【００２０】
図10及び図11は他の実施例を示すもので、蓋体３に取出口６を設けた例を示す。本実施例では、図１の実施例に於いて、ケース本体２の上端部の形状及び蓋体の構成を相違させている。即ち、ケース本体２の両側壁部2aはそれぞれ上方二隅を傾斜辺としている。また、後壁部2cは傾斜辺のやや下方に上端縁を位置させている。蓋体３は、ケース本体２の後壁部2c上端縁にヒンジ11を介して後縁を回動可能に連結するとともに、ケース本体２の両側壁部2a上端縁に沿って前方へ延設した頂板13を備え、頂板13の一側縁より垂設した側板14の前端部を側方へ凹ませて下端面及び一側面を開口した皿状をなす取出口６を形成している。
【００２１】
また、同様に上記係合手段19、上記突部20、及び上記乗越突起21をそれぞれ設けている。その他の構成ならびに作用は図１の実施例と同様であるため説明を省略する。
【図面の簡単な説明】
【００２２】
【図１】本発明の一実施例を示す右側面図である。
【図２】同実施例の正面図である。
【図３】同実施例の左側面図である。
【図４】同実施例の底蓋部分の要部拡大断面図である。
【図５】同実施例の底蓋部分の要部拡大横断面図である。
【図６】同実施例の一部切欠要部右側面図である。
【図７】同実施例の一部切欠要部左側面図である。
【図８】同実施例の作用を説明する説明図である。
【図９】同実施例の作用を説明する説明図である。
【図１０】本発明の他の実施例を示す一部切欠右側面図である。
【図１１】同実施例の斜視図である。
【符号の説明】
【００２３】
２…ケース本体，３…蓋体，４…底蓋，５…充填口，６…取出口，
11…ヒンジ，12…指掛け部，19…係合手段，20…突部，21…乗越突起，
Ａ…粒状物収納部
【図１】
2005053507.tif 000003
【図２】
2005053507.tif 000004
【図３】
2005053507.tif 000005
【図４】
2005053507.tif 000006
【図５】
2005053507.tif 000007
【図６】
2005053507.tif 000008
【図７】
2005053507.tif 000009
【図８】
2005053507.tif 000010
【図９】
2005053507.tif 000011
【図１０】
2005053507.tif 000012
【図１１】
2005053507.tif 000013